(57)【要約】  構造（１０，２０）であって、本体要素（１１，５０）と；前記本体要素に取り付けられる表面プレート（１０ａ，２０ａ）であって、透明性の材料からなる表面プレートと；を備え、前記表面プレートは、前記本体要素に接触する部分に、色付きのサーフェスレイヤー（１２ａ，１２ｂ）を有する。【選択図】図３
2019504227.tif 000002
【特許請求の範囲】
【請求項１】
構造（１０，２０）であって、
本体要素（１１，５０）と；
前記本体要素に取り付けられる表面プレート（１０ａ，２０ａ）であって、透明性の材料からなる表面プレートと；
を備え、前記表面プレートは、前記本体要素に接触する部分に、色付きのサーフェスレイヤー（１２ａ，１２ｂ）を有する、構造。
【請求項２】
前記透明性の材料は、ガラス、アクリルガラス、ポリカーボネートのいずれかを含む、請求項１に記載の構造。
【請求項３】
前記色付きのサーフェスレイヤーは暗色を有する、請求項１又２に記載の構造。
【請求項４】
前記色付きのサーフェスレイヤーは、シルクスクリーンが印刷されたレイヤーか、印刷されたレイヤーである、請求項１から３のいずれかに記載の構造。
【請求項５】
取り付けレイヤー（３２ａ，３２ｂ）を備え、前記取り付けレイヤーによって、前記本体要素と前記表面プレートとが互いに取り付けられ、接触するようにされる、請求項１から４のいずれかに記載の構造。
【請求項６】
前記本体要素が防音性を提供するように構成される、請求項１から５のいずれかに記載の構造。
【請求項７】
前記本体要素がドアフレーム（５０）である、請求項１から６のいずれかに記載の構造。
【請求項８】
請求項１から７のいずれかに記載の構造を備える壁（２０）。
【請求項９】
請求項１から７のいずれかに記載の構造を備えるドア（１０）。
【請求項１０】
請求項８に記載の壁（２０）と、請求項９に記載のドア（１０）とを備えるシステム。
【請求項１１】
前記ドアをドアフレーム（５０）に支持するヒンジ（３０ａ，３０ｂ）を備える、請求項１０に記載のシステム。
【請求項１２】
前記ドアと前記壁との間の隙間を封止する封止要素（１４）を備える、請求項１０又は１１に記載のシステム。
【請求項１３】
請求項８に記載の壁、請求項９のドア、請求項１０から１２のいずれかに記載のシステム、のいずれかを備える電話ブース。
【請求項１４】
請求項１から７のいずれかに記載の構造、請求項８に記載の壁、請求項９のドア、請求項１０から１２のいずれかに記載のシステム、のいずれかを製造する方法であって、
透明性の材料を含む表面プレート（１０ａ，２０ａ）の一部分に色付きのサーフェスレイヤー（１２ａ，１２ｂ）を設けることと；
前記サーフェスレイヤーを備える前記表面プレートの前記一部分が本体要素（１１，５０）に接触するように、前記表面プレートを前記本体要素に取り付けることと；
を含む、方法。
【請求項１５】
前記色付きのサーフェスレイヤーを設けることは、シルクスクリーン又はデジタル印刷を行うことを含む、請求項１４に記載の方法。
【発明の詳細な説明】
【技術分野】
【０００１】
本願は全体的に、ドア及び壁の構造に関する。限定するわけではないが、本願は特に、防音性を有するガラスのドアや壁構造に関する。
【背景】
【０００２】
このセクションは、有用な背景情報を説明するが、ここで説明されている技術が技術水準を示していることを認めている訳ではないことに注意されたい。
【０００３】
ガラス製の壁やドアは、しばしば美観的に好ましいとされ、実用的にも有用なことがある。しかし、丈夫な構造や、防音性・吸音性が必要とされる環境においては、好ましい外観を備えたガラス製の壁やドアを作ることは至難であった。
【０００４】
電話ブースや会議室、建物の内壁や外壁、自動車のドアのような、構造的に強固で防音性を要する構造は、ドアのフレームや本体、又は壁のフレームや本体を厚くしなければならず、それを補助する構造も多く必要となる。そのような構造は、しばしば壁やドアの内側や外側に飛び出てしまったり、取り付け部がガラス部の上側や下側の見えやすいところに存在したりするので、ガラス製の壁やドアの美観を悪化させてしまう。
【０００５】
本発明は、防音性を有し、美観上の品質も確保しうるような、ガラス製のドアや壁を提供することにより、先行技術の不満足な点を軽減することを目的とする。
【摘要】
【０００６】
本発明の例の様々な態様が特許請求の範囲に提示されている。
【０００７】
本発明の第１の例示的側面によれば、次のような構造がもたらされる。この構造は、
本体要素と；
前記本体要素に取り付けられる表面プレートであって、透明性の材料からなる表面プレートと；
を備え、前記表面プレートは、前記本体要素に接触する部分に、色付きのサーフェスレイヤーを有する。
【０００８】
前記透明性の材料は、ガラスやアクリルガラス、ポリカーボネートであってもよい。
【０００９】
前記色付きのサーフェスレイヤーの色は暗くてもよい。
【００１０】
前記色付きのサーフェスレイヤーは、シルクスクリーンやセリグラフ、印刷されたレイヤーであってもよい。
【００１１】
前記構造は取り付けレイヤーを備えてもよく、前記取り付けレイヤーによって、前記本体要素と前記表面プレートとが互いに取り付けられ、接触するようにされてもよい。
【００１２】
前記本体要素は防音性を提供するように構成されてもよい。
【００１３】
前記本体要素はドアフレームであってもよい。
【００１４】
本発明の第２の例示的側面によれば、上記の第１の例に従う構造を有する壁が提供される。
【００１５】
本発明の第３の例示的側面によれば、上記の第１の例に従う構造を有するドアが提供される。
【００１６】
本発明の第４の例示的側面によれば、上記第２の例示的側面の壁と、上記第３の例示的側面のドアとを備えるシステムが提供される。
【００１７】
前記システムは、前記ドアを前記ドアフレームに支持するヒンジを備えてもよい。
【００１８】
前記システムは、前記ドアと前記壁との間の隙間を封止する封止要素を備えてもよい。
【００１９】
本発明の第５の例示的側面によれば、上記第２の例示的側面の壁、上記第３の例示的側面のドア、又は上記第４の例示的側面のシステムを備える電話ブースが提供される。
【００２０】
本発明の第６の例示的側面によれば、上記の構造、壁、ドア、又はシステムを製造する方法が提供される。この方法は、
透明性の材料を含む表面プレートの一部分に色付きのサーフェスレイヤーを設けることと；
前記サーフェスレイヤーを備える前記表面プレートの前記一部分が本体要素に接触するように、前記表面プレートを前記本体要素に取り付けることと；を含む。
【００２１】
前記色付きのサーフェスレイヤーを設けることは、シルクスクリーン又はデジタル印刷を行うことを含んでもよい。
【００２２】
本発明の様々な態様及び実施形態を示したが、これらは発明の範囲を限定するために提示されたものではない。これらの実施形態は、本発明の実施にあたり使用され得る特定の態様やステップを説明するために用いられたに過ぎない。いくつかの実施形態は、本発明の特定の例示的側面を使ってのみ説明されるかもしれない。いくつかの実施形態は他の実施形態にも適用可能であることが理解されるべきである。
【図面の簡単な説明】
【００２３】
本発明の例示的実施形態をより明確に理解しうるように、添付図面を参照しつつ更なる説明が提供される。
【図１】本発明のある実施形態に従うドア及び／又は壁構造の概略図である。
【図２】本発明のある実施形態に従うドア及び／又は壁構造の、Ａ−Ａ断面の様子を示す図である。
【図３】本発明のある実施形態に従うドア及び／又は壁構造の、部分Ｂを拡大して図示している。
【図４】本発明のある実施形態に従うドア及び／又は壁構造を製造する方法のフローチャートである。
【図面の詳細な説明】
【００２４】
本発明及びその利点は、図１から４を参照することにより理解されうる。本明細書において、同じような符号は同じような要素又はステップを示す。
【００２５】
図１は、本発明のある実施形態に従うドア及び／又は壁構造の概略図である。壁１００は、ドア１０を有する。ドア１０の高さは壁２０と実質的に同じである。実施形態によっては、壁構造及び／又はドアの表面はガラスである。ドア１０は、ヒンジ３０ａ，３０ｂによって支持される。実施形態によっては、壁構造は、壁２０を囲み、及び／又は指示するように構成されるフレーム４０を備える。実施形態によっては、フレームは、木材、金属、プラスチック、複合材、又はこれらの組み合わせのような材料からできていてもよい。
【００２６】
図２は、本発明のある実施形態に従うドア及び／又は壁構造の、図１のＡ−Ａ断面の様子を示す図である。実施形態によっては、構造２００は、電話ブースや会議室、部屋であってもよい。図２にはドア１０が描かれている。ドア１０は、図示されないヒンジで、ドアフレーム５０のような壁体要素に支持されている。実施形態によっては、ドアフレーム５０は、木製や金属製であってもよい。ドア１０に防音性を持たせるため、また様々なタイプのヒンジを使えるように固く丈夫にするため、ドア１０は、ドア表面プレート１０ａに加えて、厚みを持たせるための内部構造を有する。この内部構造は、図３を用いて説明される。実施形態によっては、ドア表面プレートはガラス製である。
【００２７】
図２には、ドア１０が配される壁２０も描かれている。壁２０は、例えばボーンのための内部構造を有する。また壁２０は、ドア表面プレート１０ａと実質的に同じ高さを有する壁表面プレート２０ａを有する。実施形態によっては、壁表面プレート２０ａはガラス製である。実施形態によっては、ドア２０はフレーム４０によって支持される。実施形態によっては、構造２００は側壁６０ｂ，６０ｃと、後壁６０ａとを備える。
【００２８】
実施形態によっては、ドア表面プレート１０ａ及び／又は壁表面プレート２０ａのガラスは、透明で色のないガラスからできている。実施形態によっては、ドア表面プレート１０ａ及び／又は壁表面プレート２０ａのガラスは、透明だが有色のガラスからできている。実施形態によっては、ドア表面プレート１０ａ及び／又は壁表面プレート２０ａのガラスは、透明度が低いガラスや不透明ガラスからできていてもよい。例えば曇りガラスからできていてもよい。実施形態によっては、ドア表面プレート１０ａ及び／又は壁表面プレート２０ａのガラスは、ガラスに似た性質を有する材料からできていてもよい。例えば、アクリルガラスやポリカーボネートからできていてもよい。
【００２９】
図３は、本発明のある実施形態に従うドア及び／又は壁構造の、部分Ｂ（図２参照）を拡大して図示している。図３には、ドア１０、ドア表面プレート１０ａ、壁体要素１１が描かれている。壁体要素１１は、防音性、堅牢性、剛性を提供し、ヒンジを使用することを可能にする。図３には、壁２０及び壁表面プレート２０ａも描かれている。図３の実施例において、ドア表面プレート１０ａ及び／又は壁表面プレート２０ａはガラス製である。ガラス製の壁表面プレート２０ａは、ドアフレーム５０のような壁体要素に、接着等の手法にて取り付けられる。接着は、ドアフレーム５０と壁表面プレート２０ａとの間の取り付けレイヤー３２ｂにおいて行われる。同様に、ガラス製のドア表面プレート１０ａは、ドアフレーム１１に接着等の手法にて取り付けられる。接着は、ドアフレーム１１とドア表面プレート１０ａとの間の取り付けレイヤー３２ａにおいて行われる。
【００３０】
図３には、ヒンジ３０と、ヒンジと壁表面プレート２０ａ・ドア表面プレート１０ａとの間の柔軟要素１３も描かれている。更に図３には、ドア１０とドアフレーム５０との隙間（すなわち、ドア１０と壁２０との隙間）を封止するための封止要素１４も描かれている。実施形態によっては、封止要素１４は、主要部がＯ型の要素であってもよい。
【００３１】
ガラス製のドア表面プレート１０ａは、その背面に、ドア体要素１１及び取り付けレイヤー３２ａに相対するサーフェスレイヤー１２ａを有する。サーフェスレイヤー１２ａは色付きのレイヤーであり、ドア体要素１１及び取り付けレイヤー３２ａに接触する部分に存在する。実施形態によっては、サーフェスレイヤー１２ａは、シルクスクリーンやセリグラフ、印刷されたレイヤーである。実施形態によっては、サーフェスレイヤー１２ａは、デジタル的に印刷されたレイヤーである。実施形態によっては、サーフェスレイヤー１２ａは、黒のような暗い色を有するレイヤーである。サーフェスレイヤー１２ａは、ガラス製のドア表面プレート１０ａのうち、ドア体要素１１に面する部分をカバーするように構成され、ドア１０をサーフェスレイヤー１２ａの反対側から観察したときに、連続的なガラス面を見せられるように構成される。実施形態によっては、外観におけるガラス面の連続性は、ガラス製のドア表面プレート１０ａの反射や反射特性によって、より強調される。
【００３２】
ガラス製の壁表面プレート２０ａは、その背面に、ドアフレーム５０及び取り付けレイヤー３２ｂに相対するサーフェスレイヤー１２ｂを有する。サーフェスレイヤー１２ｂは色付きのレイヤーであり、ドアフレーム５０及び取り付けレイヤー３２ｂに接触する部分に存在する。実施形態によっては、サーフェスレイヤー１２ｂは、シルクスクリーンやセリグラフ、印刷されたレイヤーである。実施形態によっては、サーフェスレイヤー１２ｂは、デジタル的に印刷されたレイヤーである。実施形態によっては、サーフェスレイヤー１２ｂは、黒のような暗い色を有するレイヤーである。サーフェスレイヤー１２ｂは、ガラス製の壁表面プレート２０ｂのうち、ドアフレーム５０に面する部分をカバーするように構成され、壁２０をサーフェスレイヤー１２ｂの反対側から観察したときに、連続的なガラス面を見せられるように構成される。実施形態によっては、外観におけるガラス面の連続性は、ガラス製のドア表面プレート２０ｂの反射や反射特性によって、より強調される。
【００３３】
実施形態によっては、外観におけるガラス面の連続性は、壁やドアの背後の空間の構造の色を適切に選択することにより、より強めることができる。例えば、壁２０やドア１０の背後の空間（例えば部屋）の内面の色を暗くすることにより、そのような効果を得ることができる。
【００３４】
実施形態によっては、壁表面プレート２０ａ及びドア表面プレート１０ａはいずれもガラス製であり、サーフェスレイヤー１２ａ，１２ｂは、ドア体要素１１やドアフレーム５０のような背後構造を隠し、ドア１０から壁２０へと繋がるガラス面の外観の連続性を提供するように構成される。実施形態によっては更に、ドアや壁の要素や構造（例えば支持梁など）を隠すために、同様のサーフェスレイヤーが設けられてもよい。実施形態によっては、ドアや壁の両方に透明性を持たせる代わりに（例えば両方にガラス製の表面プレートを使用する代わりに）、これらのうち一方のみに、透明性を有する表面プレートを使用してもよい。
【００３５】
図４は、本発明のある実施形態に従うドア及び／又は壁構造を製造する方法のフローチャートである。ステップ４１０において、サーフェスレイヤー１２ａ及び／又は１２ｂが、ガラス製のドア表面プレート１０ａ及び／又はガラス製の壁表面プレート２０ａに、それぞれ設けられる。実施形態によっては、サーフェスレイヤー１２ａ，１２ｂは、シルクスクリーンやセリグラフ、印刷されたレイヤーである。実施形態によっては、サーフェスレイヤー１２ａ，１２ｂは、表面にサンドブラスティングを施したり、適切な色で暗くしたりすることによって設けられる。ステップ４２０において、ガラス製のドア表面プレート１０ａ及び／又はガラス製の壁表面プレート２０ａが、ドアフレーム５０やドア体要素１１のような背後構造に、例えば接着によって取り付けられる。この取り付けは、例えば、ガラス製のドア表面プレート１０ａ及び／又はガラス製の壁表面プレート２０ａがその背後構造や取り付けレイヤー３２，３２ｂに接触する部分を、サーフェスレイヤー１２ａ，１２ｂが覆うように、為される。
【００３６】
請求項に係る発明の技術的範囲やその解釈、その適用の仕方を限定するものではないが、本願が開示する一つ又は複数の実施例の技術的効果を一つ挙げると、それは、連続的なガラス面の外観を有すると共に防音性を備える、ガラス製の壁やドアを提供することである。本願が開示する一つ又は複数の実施例の技術的効果を別に一つ挙げると、それは、防音ガラス面の取り付けを容易にすることである。
【００３７】
添付の特許請求の範囲の独立請求項には、本願が開示する技術思想のいくつかの側面が示されている。しかし、本願が開示する技術思想の別の側面には、明細書や図面にのみ開示される特徴や従属請求項に記載される特徴が、独立請求項に記載の特徴と組み合わされて、含まれることがある。そのような組み合わせの中には、請求項には定義されていないものもある。
【００３８】
本願が開示する技術思想の例示的な実施形態を説明してきたが、これらの説明は、当該技術思想を限定するような意味で捉えられるべきではない。むしろ、請求項に特定される発明が、その範囲を逸脱せずに様々な実施形態を取り得ることを示すものである。
【図１】
2019504227.tif 000003
【図２】
2019504227.tif 000004
【図３】
2019504227.tif 000005
【図４】
2019504227.tif 000006
【国際調査報告】
2019504227.tif 000007
2019504227.tif 000008